【事件の表示】
　上記当事者間の登録第４６９９９７５号商標の商標登録無効審判事件について、次のとおり審決する。
【結　論】
　登録第４６９９９７５号の登録を無効とする。
　審判費用は被請求人の負担とする。
【理　由】
１　本件商標
　本件登録第４６９９９７５号商標（以下「本件商標」という。）は、平成１４年７月９日に登録出願、別掲（１）に示すとおりの構成よりなり、第２５類「被服」を指定商品として、同１５年８月１５日に設定登録、現に有効に存続しているものである。
　
２　請求人の主張
　請求人は、「本件商標の登録は、これを無効とする、審判費用は被請求人の負担とする、との審決を求める。」と申し立て、その理由を要旨次のように述べ、証拠方法として、甲第１号証ないし同第２３号証を提出した。
（１）本件商標は商標法第４条第１項第７号、同第１０号、同第１１号及び同第１５号に違反して登録されたものであるから、その登録は同法第４６条第１項の規定により無効とされるべきである。
（２）請求人が本件商標の登録無効の理由に引用する登録第２６８３３３６号商標は、昭和５０年１２月１７日に登録出願、別掲（２）に示すとおりの構成よりなり、第１７類「被服（運動用特殊被服を除く）布製身回品（他の類に属するものを除く）寝具類（寝台を除く）」を指定商品として、平成６年６月２９日に設定登録、その後、平成１６年７月６日商標権存続期間の更新登録がなされ現に有効に存続しているものである。
　同じく、登録第４２２５６０１号商標は、平成９年４月１１日に登録出願、別掲（３）に示すとおりの構成よりなり、第２５類「米国製の被服，米国製の履物」を指定商品として、同１０年１２月２５日に設定登録され現に有効に存続しているものである。
　同じく、登録第１７１６１５４号商標は、昭和５３年３月６日に登録出願、別掲（４）に示すとおりの構成よりなり、第１７類「被服、その他本類に属する商品」を指定商品として、同５９年９月２６日に設定登録、その後、平成７年２月２７日商標権存続期間の更新登録がなされ現に有効に存続しているものである。
　本件商標は、請求人の所有する上記引用商標と要部が類似し、かつ、指定商品も互いに抵触するので、商標法第４条第１項第１１号に該当するものである。
（３）本件商標はその出願日以前からその指定商品を含み、請求人の業務に係る商標として需要者の間に広く認識されている「ＢＯＬＴ」及び「Ｌｉｇｈｔｎｉｎｇ　Ｂｏｌｔ」の商標と類似するものであるから商標法第４条第１項第１０号の規定に該当し、更には本件商標はこのように著名な請求人の業務に係る商標とまぎらわしく、あたかも請求人の業務に係る商標と認識されて適正な取引秩序が乱されるおそれがあるので同法第４条第１項第７号の規定に該当する。
　請求人が引用する上記商標は昭和５０年以前から米国カリフォルニア州法人ザ　ボルト　コーポレーション（Ｔｈｅ　Ｂｏｌｔ　Ｃｏｒｐｏｒａｔｉｏｎ）が、その営業に係るサーフィンボード等の運動具、被服類、装身具、バッグ類など広範囲の商品に付して世界的に使用した結果、我が国に於ても昭和５２年当時には既に上記各商品群について周知著名な商標に至っていたのであり、その事実は添付甲第７号証の判決中で明らかに立証されている通りである。
　請求人は上記に述べた著名引用商標の生みの親にあたるザ　ボルト　コーポレーシヨン及び同法人の税法上の親会社であるライトニング　ボルト　インターナシヨナル　インコーポレーテツド（ＬＩＧＨＴＮＩＮＧ　ＢＯＬＴ
　ＩＮＴＥＲＮＡＴＩＯＮＡＬ，ＩＮＣ．）両社が日本に於いて所有している商標権の使用権者として昭和５３年当時から継続して両社所有の商標を使用しての営業活動に従事していた者で、昭和６１年（１９８６年）に入ってから、前記両米国法人が日本に於ける営業活動を全面的に止めることとなり、その際請求人は両米国法人が所有していた上記引用の「ＢＯＬＴ」「ＬｉｇｈｔｎｉｎｇＢｏｌｔ」の周知商標を含め両社が有する全ての商標権及び商標出願を、その営業権と共に譲り受けることとし、昭和６１年７月に前記両米国法人の所有する全ての商標をその営業と共に譲り受けたのである（甲第８号証ないし甲第１１号証及び甲第１２号証）。
　上述した事実から明らかな通り、請求人は、上記米国法人ザ・ボルト・コーポレーション及び同法人の親会社たるライトニング　ボルトインターナショナル　インコーポレーテツドが日本国に於て所有する全ての商標権及び商標出願をその営業と共に譲り受けたことにより、上記した引用著名商標に化体された信用そのものの財産的価値が請求人に引き継がれたのである。
　また、このように著名に至った引用商標と類似する本件商標がその指定商品について被請求人により使用された場合は、流通径路の秩序が乱されるおそれが極めて大きい。
　したがって、本件商標は商標法第４条第１項第１０号及び同第７号に該当する。
（４）請求人の所有に係る引用商標「ＢＯＬＴ」を含む本件商標がその指定商品である被服について使用された場合は、需要者はその商品が請求人の業務に係る商品と誤認するおそれがある。
　ちなみに、請求人は本件商標と要部を同一とする「Ｓｔａｒ　Ｂｏｌｔ」商標を商願平１−１３１６３４号を以て旧第２３類「時計，眼鏡，これらの
部品および附属品」を指定商品として出願したが、この出願に対して上記「ＢＯＬＴ」の著名商標を引用して拒絶された事実（甲第１５号証）からも、上記「ＢＯＬＴ」商標の著名性は明らかな事実である。なお、当該出願は前記の通り請求人が上記著名商標をその営業と共に譲渡を受けた事実により解消され、登録第２７０７９３３号を以って登録されている。
　したがって、本件商標は商標法第４条第１項第１５号に該当する。
　
３．被請求人の答弁
　本件商標は、平成１４年７月９日に出願し、平成１５年８月１５日に商標登録証を送付されたものである。その間平成１５年２月２６日附にて拒絶理由通知を受けたが、当初出願していた第３類の区分を第２５類の被服のみに変更をし、登録されたものと解している。
　上述の如く，本件出願から登録まで優に１年と１ヶ月以上も掛かっており、その間、十分に審議された上での登録であり、又一般公示の期間も経ているものである。
　被請求人としては、今回の無効請求は不当であると考える。
　
４　当審の判断
（１）請求人より提出された甲第７号証ないし甲第２３号証によれば、「ＢＯＬＴ」及び「Ｌｉｇｈｔｎｉｎｇ　Ｂｏｌｔ」の文字よりなる商標は、昭和５０年以前から米国カリフォルニア州法人ザ　ボルト　コーポレーション（Ｔｈｅ　Ｂｏｌｔ　Ｃｏｒｐｏｒａｔｉｏｎ）及びライトニング　ボルト　インターナシヨナル　インコーポレーテツド（ＬＩＧＨＴＮＩＮＧ　ＢＯＬＴ　ＩＮＴＥＲＮＡＴＩＯＮＡＬ，ＩＮＣ．）両社が、商品「サーフィンボード等の運動具、被服類、装身具、バッグ類」等に永年使用してきた結果、取引者・需要者の間に広く認識されている商標であり、我が国に於ても昭和５２年当時には既に上記各商品群について周知著名な商標に至っていた事実を認め得るものである。
（２）請求人は、両社が日本に於いて所有している商標権の使用権者として昭和５３年当時から継続して両社所有の商標を使用しての営業活動に従事していた者であるが、その後、前記両米国法人が所有していた上記引用の「ＢＯＬＴ」及び「ＬｉｇｈｔｎｉｎｇＢｏｌｔ」の商標を含め両社が有する全ての商標権及び商標出願を、その営業権と共に譲り受けた事実を甲第８号証ないし甲第１１号証及び甲第１２号証によって認めることができる。
　また、上記著名商標に化体された信用そのものの財産的価値は請求人に引き継がれたものとみるのが相当である。
　さらに、本件商標を構成する「ＳＴＡＲ　ＢＯＬＴ」の商標も、上記した「ライトニング　ボルト　インターナシヨナル　インコーポレーテツド（ＬＩＧＨＴＮＩＮＧ　ＢＯＬＴ　ＩＮＴＥＲＮＡＴＩＯＮＡＬ，ＩＮＣ」の使用商標の一つである事実が、請求人提出に係る甲第１７号証によって認められる。
　そして、請求人は、本件商標中の図案化された「ＳＴＡＲ　ＢＯＬＴ」の文字部分と色彩を除けばほぼ同一と思しき図形商標からなる別掲（５）に示した登録第２７０７９３３号商標（平成元年１１月２１日登録出願、第２３類「時計、眼鏡、これらの部品及び付属品」を指定商品として同７年６月３０日設定登録）、及び同じく別掲（６）に示した登録第２７２４１３８号商標（昭和６２年１月１３日登録出願、第２２類「はき物その他本類に属する商品」を指定商品として平成１０年８月２１日設定登録）の商標権者である。
（３）そこで、前記（１）及び（２）で認定した事実を踏まえ、本件商標についてみると、本件商標は、請求人の所有に係る前記登録第２７０７９３３号商標及び登録第２７２４１３８号商標とは、顕著にあらわされた「Ｓｔａｒ　Ｂｏｌｔ」の部分を色彩を除けば同じにするものであって、これが偶然一致したものとは認めが難く、その存在を知り得て、本件商標を採択し登録出願したものと優に推認できるものであって、このように酷似した図形を被請求人が自ら創案したとは考え難いところである。
　そうとすれば、被請求人が本件商標を登録出願した行為は、請求人所有の商標のデザインを盗用する意図をもってされたもの、といわざるを得ないから、本件商標は、社会通念上商道徳に反するものであり、公正な商取引秩序を乱すおそれがあるばかりでなく、ひいては、公の秩序を害するおそれがあるものというべきである。
（４）したがって、本件商標は、商標法第４条第１項第７号に違反して登録されたものであって、同法第４６条第１項の規定により、その登録を無効とすべきものである。
　よって、結論のとおり審決する。